(57)【要約】【課題】不特定多数からの閲覧を排し、あるＩＰカメラの特定の時刻の映像を閲覧できるのは、その時にその場所にいた人のみに限定を可能とし、三人称視点での撮影および行動記録が可能なシステムを提供する。【解決手段】ＩＰカメラと携帯型端末の無線回線に弱い出力の電波を用い、ＩＰカメラに映る範囲程度でのみ携帯型端末と通信可能とする。ＩＰカメラから撮影映像にアクセスするための鍵を所定の時間間隔で送信し、携帯型端末は受信した鍵に携帯型端末固有の識別情報を加えＩＰカメラに返信する。ＩＰカメラは携帯型端末の識別情報を受けると、該情報をユーザ管理サーバに記録する。ユーザから、映像閲覧要求を受けた際には、ユーザ管理サーバの情報を調べ、その時刻の該ＩＰカメラに映っている場合に、映像データを返信する。【選択図】図２Ａ
2013009256.tif 000002
【特許請求の範囲】
【請求項１】
所定の監視領域を撮影し、撮影した映像から第１の映像と前記第１の映像より低解像度の第２の映像とを生成し、有線ネットワーク回線と無線ネットワーク回線とに送信するＩＰカメラ、および、前記ＩＰカメラと前記無線ネットワーク回線を介して通信し、前記ＩＰカメラが生成した前記第２の映像を受信して保存する携帯型端末とを有することを特徴とする自己撮影システム。
【請求項２】
請求項１記載の自己撮影システムにおいて、前記有線ネットワークに接続される映像録画サーバを有し、前記ＩＰカメラは、前記第１の映像を前記有線ネットワークを介して前記映像録画サーバに送信し、前記映像録画サーバは、前記ＩＰカメラの前記第１の映像を記憶し、前記携帯型端末と接続したＰＣが前記有線ネットワークを介して前記映像録画サーバに記憶された前記第１の映像を閲覧することを特徴とする自己撮影システム。
【請求項３】
請求項１または請求項２記載の自己撮影システムにおいて、前記ＩＰカメラは、前記所定の監視領域を、一定時間毎に撮影する自動撮影モードと、携帯型端末から指示があった時点のみ撮影する手動撮影モードとを備え、前記携帯型端末は、前記自動撮影モードと前記手動撮影モードとを選択可能であることを特徴とする自己撮影システム。
【発明の詳細な説明】
【技術分野】
【０００１】
本発明は、ネットワークに接続された多数のＩＰカメラと映像録画サーバを用いた映像記録システムに関し、特に、自己の撮影および行動記録の提供を可能とする自己撮影システムに関わる。
【背景技術】
【０００２】
ネットワーク技術の高速化と低価格化に伴い、映像データの伝送にＩＰ（Internet Protocol）ネットワークが用いられることは一般的となった。それに伴い、記録装置のネットワーク対応化も進んでいる。
ＩＰカメラと同一ＬＡＮ（Local Area Network）に設置し、ＩＰカメラが撮影した映像データを記録する記憶装置や、映像データをＷＡＮ（Wide Area Network）を介して遠方のデータセンタ内で集約して記録する記憶装置（例えば、特許文献１参照）など、多様化が進んでいる。
【先行技術文献】
【特許文献】
【０００３】
【特許文献１】特許第４１５１５１７号公報
【発明の概要】
【発明が解決しようとする課題】
【０００４】
近年、防犯意識の高まりやネットワーク機器の普及に伴い、公共交通機関、公共施設、公道など、街中の至る所にＩＰ接続された防犯用のＩＰカメラが設置され、その数も増加傾向にある。
しかし、防犯用のＩＰカメラが撮影した映像データは、所定の期間、所定の記憶装置に記録され、何か事件が発生した場合に、当該事件の捜査のために閲覧する用途に使用される。従って、撮影された一般の人（自己）がこれらの映像を、他の用途で利用するためのシステムではない。
【０００５】
一方、自己の外出時の行動、例えば、自己がいつどこでどんな行動をしていたかを撮影し、記録しておきたいというユーザのニーズも高まっている。その撮影も、ユーザが常にカメラを構えて撮影して回る（ユーザ視点＝一人称視点）のではなく、ユーザを被写体として撮影する三人称視点での撮影を低コストで行なえる方式への需要が高まっている。なお、ユーザの視点で撮影することを一人称視点、ユーザ自身を少し離れた位置から撮影することを三人称視点と呼称する。
従来、三人称視点での撮影を行なうには、被写体となるユーザを撮影する人（撮影スタッフ）が必要であり、撮影スタッフを用意できないことのある。また、もし一人で撮影を行なう場合には、三脚等でカメラを固定してセルフタイマーで撮影することもできる。しかし、行動中の至る所で、三脚等カメラを固定し、撮影しては三脚等を移動させるなど手間を要する。このように、行動記録に用いるには大げさすぎる手段しか存在しなかった。ましては、毎日とか定期的に行動記録を取るような場合には向かなかった。
そこで、街中に設置されたＩＰカメラを利用したいとの要望があった。しかし、街中に設置されたＩＰカメラが撮像した映像を不特定多数の一般人に公開することは、プライバシーへの配慮から避けたいとの要望もあって、実現化が難しい。
【０００６】
本発明の目的は、上記のような問題に鑑み、外出時の行動記録の作成、特に三人称視点での映像撮影が可能な自己撮影システムを提供することにある。また、いつ何処にいたかの情報を、防犯用の監視システム内に保持させることが可能な自己撮影システムを提供することにある。
さらに、本発明は、不特定多数の一般への公開でなく、撮影された人にのみ映像を公開する自己撮影システムを提供する。
【課題を解決するための手段】
【０００７】
上記の目的を達成するため、本発明の自己撮影システムは、  所定の監視領域を撮影し、撮影した映像から第１の映像と前記第１の映像より低解像度の第２の映像とを生成し、有線ネットワーク回線と無線ネットワーク回線とに送信するＩＰカメラ、および、前記ＩＰカメラと前記無線ネットワーク回線を介して通信し、前記ＩＰカメラが生成した前記第２の映像を受信して保存する携帯型端末とを有することを第１の特徴とする。
【０００８】
また本発明の自己撮影システムは、上記本発明の第１の特徴の自己撮影システムにおいて、前記有線ネットワークに接続される映像録画サーバを有し、前記ＩＰカメラは、前記第１の映像を前記有線ネットワークを介して前記映像録画サーバに送信し、前記映像録画サーバは、前記ＩＰカメラの前記第１の映像を記憶し、前記携帯型端末と接続したＰＣが前記有線ネットワークを介して前記映像録画サーバに記憶された前記第１の映像を閲覧することを第２の特徴とする。
【０００９】
さらに本発明の自己撮影システムは、上記本発明の第１の特徴または第２の特徴の自己撮影システムにおいて、前記ＩＰカメラは、前記所定の監視領域を、一定時間毎に撮影する自動撮影モードと、携帯型端末から指示があった時点のみ撮影する手動撮影モードとを備え、前記携帯型端末は、前記自動撮影モードと前記手動撮影モードとを選択可能であることを第３の特徴とする。
【発明の効果】
【００１０】
本発明によれば、外出時の行動記録の作成、特に三人称視点での映像撮影が可能な自己撮影システムを実現できる。
また、本発明によれば、いつ何処にいたかという情報を、防犯用監視システム内に保持させることが可能となる。
さらに、本発明によれば、不特定多数に公開せず、撮影された個人にのみ、当該映像を閲覧または提供することができる。
【図面の簡単な説明】
【００１１】
【図１Ａ】本発明の一実施例に係わるＩＰカメラの構成を示す図である。
【図１Ｂ】本発明の一実施例に係わるＩＰカメラの不揮発性メモリの構成を示す図である。
【図１Ｃ】本発明の一実施例に係わるＩＰカメラの不揮発性メモリの設定情報を説明するための図である。
【図１Ｄ】本発明の一実施例に係わるＩＰカメラの不揮発性メモリの設定情報の広告バナー情報を説明するための図である。
【図２Ａ】本発明の自己撮影システムの一実施例の構成と運用について説明する図である。
【図２Ｂ】本発明の自己撮影システムの一実施例を説明するための図である。
【図２Ｃ】本発明の自己撮影システムの一実施例を説明するための図である。
【図２Ｄ】本発明の自己撮影システムの一実施例を説明するための図である。
【図３Ａ】本発明の一実施例に係わる携帯型端末の構成例を示す図である。
【図３Ｂ】本発明の一実施例に係わる携帯型端末の初期画面を示す図である。
【図３Ｃ】本発明の一実施例に係わる携帯型端末の初期画面を示す図である。
【図３Ｄ】本発明の一実施例に係わる携帯型端末の詳細設定画面を示す図である。
【図４Ａ】本発明の一実施例に係わる携帯型端末の手動録画モードの「撮影確認モード」の画面の一実施例を示す図である。
【図４Ｂ】本発明の一実施例に係わる携帯型端末の手動録画モードの「閲覧モード」の画面の一実施例を示す図である。
【図４Ｃ】本発明の一実施例に係わる携帯型端末の手動録画モードの「削除モード」の画面の一実施例を示す図である。
【図４Ｄ】本発明の一実施例に係わる携帯型端末の手動録画モードの「削除モード」の画面の一実施例を示す図である。
【図５Ａ】本発明の一実施例に係わる携帯型端末の自動録画モードの「自動撮影中」の画面の一実施例を示す図である。
【図５Ｂ】本発明の一実施例に係わる携帯型端末の自動録画モードの「自動撮影中  プレビュー」の画面の一実施例を示す図である。
【図５Ｃ】本発明の一実施例に係わる携帯型端末の自動録画モードの「削除モード」の画面の一実施例を示す図である。
【図５Ｄ】本発明の一実施例に係わる携帯型端末の自動録画モードの「削除モード」の「確認を行う」の画面の一実施例を示す図である。
【図６】本発明の一実施例の情報の流れを説明するための図である。
【図７】本発明の一実施例の係わるテーマパークの地図画面を示す図である。
【図８】本発明の一実施例の係わるテーマパーク向け運用での携帯型端末が撮影した画面を示す図である。
【図９】本発明の一実施例の係わるテーマパーク向け運用でのＣＧ合成用マーカプリント衣類を説明するための図である。
【図１０】本発明の一実施例の係わるテーマパーク向け運用での携帯型端末が撮影した像のＣＧ合成画面を示す図である。
【図１１】本発明の一実施例の係わるテーマパーク向け運用での構成例を示す図である。
【図１２】本発明の一実施例の係わる携帯型端末画面の広告表示を例示する図である。
【図１３】本発明の一実施例の係わるサービスと対価の関係を説明するための図である。
【図１４】本発明の一実施例の係わるサービスと対価の関係を説明するための図である。
【図１５】本発明の一実施例の係わるサービスと対価の関係を説明するための図である。
【図１６】本発明の一実施例の係わるサービスと対価の関係を説明するための図である。
【発明を実施するための形態】
【００１２】
防犯用に街中（街頭）に設置された監視システムにおいては、ＩＰカメラを用いて撮影が行なわれている。街頭に設置されたＩＰカメラの録画映像を不特定多数に公開するのはプライバシーへの配慮から避けたいとの要望もあり、その両立が課題であった。本発明は、不特定多数からの閲覧を排し、ＩＰカメラの特定の時刻の映像を閲覧できるのは、その時にその場所にいた人のみに限定し、三人称視点での撮影および行動記録が可能な自己映像撮影システムを提供するものである。
そのため、本発明において、ＩＰカメラは、撮影した映像を常に映像録画サーバに送信し、映像録画サーバは映像を録画する。ＩＰカメラと携帯型端末の無線回線に弱い出力の電波を用い、ＩＰカメラに映る範囲程度でのみ携帯型端末と通信可能とする。ＩＰカメラから撮影映像にアクセスするための鍵を所定の時間間隔で送信し、携帯型端末は受信した鍵に携帯型端末固有の識別情報を加えＩＰカメラに返信する。ＩＰカメラは携帯型端末の識別情報を受けると、当該情報をユーザ管理サーバに送信し、ユーザ管理サーバは、誰がいつどのＩＰカメラに撮影されていたかを記録する。後で、ユーザから、映像閲覧要求を受けた際には、ユーザ管理サーバの情報を調べ、その時刻の該ＩＰカメラに映っている場合に、映像データを返信するものである。
【００１３】
以下、本発明の実施形態を、添付図面を参照しながら本発明の実施形態を詳細に説明する。なお、各図の説明において、同一の機能を有する構成要素には同一の参照番号を付し、説明の重複をできるだけ避ける。
また、以下の説明は、本発明の一実施形態を説明するためのものであり、本願発明の範囲を制限するものではない。従って、当業者であればこれらの各要素若しくは全要素をこれと均等なものに置換した実施形態を採用することが可能であり、これらの実施形態も本願発明の範囲に含まれる。
【実施例１】
【００１４】
図１Ａ、図１Ｂ、図１Ｃおよび図１Ｄによって、本発明の自己撮影システムの一実施例を説明する。
図１Ａは、本発明の自己撮影システムの一実施例に係わるＩＰカメラ３の内部の構成例を示している。また図１Ｂは、図１ＡのＩＰカメラを構成する不揮発性メモリ３０７の構成を一実施例を示す図である。また図１Ｃは、図１Ｂの不揮発性メモリ３を構成する設定情報３７０の内容について説明するための図である。さらに図１Ｄは、図１Ｃの設定情報３７０を構成する広告バナー情報３７０９の内容について説明するための図である。
【００１５】
図１ＡのＩＰカメラ３は、レンズ３０１、撮像部３０２、画像処理演算部３０３、バス３０４、制御部３０５、ワークメモリ３０６、不揮発メモリ３０７、有線ネットワーク回線を通信媒体として他局と通信するための有線ネットワーク接続部３０８、無線ネットワーク用アンテナ３１０、および無線ネットワーク用アンテナ３１０を介して無線ネットワーク回線を通信媒体として他局と通信するための無線ネットワーク接続部３０９を構成要素とする。
図１Ａ、図１Ｂ、図１Ｃ、および図１Ｄにおいて、レンズ３０１は、撮像部３０２と接続可能で、設置場所に適合して、対象を適切に撮影できるものであれば何でも良く、特に言及しない。
【００１６】
図１Ａにおいて、撮像部３０２は、レンズ３０１で集光した光を光電変換およびアナログデジタル変換し、デジタルデータとして出力する。出力のデジタルデータは、例えば、画像処理演算部３０３に伝送される。
画像処理演算部３０３は、撮像部３０２から取得したデジタルデータを、ネットワーク出力に適した映像フォーマットにエンコードする。
【００１７】
エンコードに使用する映像フォーマットは、例えば、ＪＰＥＧ（Joint Photographic Experts Group）フォーマット、ＭＰＥＧ４（Moving Picture Experts Group 4）等である。
画像処理演算部３０３は、用途別に、２種のエンコードを切替えて行ない、２種の映像を生成する。
一種は、エンコード後のデータサイズよりも、映像の解像度（縦横のピクセル数）および画質を優先した映像データである。この映像データは、有線ネットワーク出力向けの高解像度の映像データであり、以後「ＨＤ（High Definition：高解像度）映像」と呼称する。
他種は、解像度および画質よりも、エンコード後のデータサイズを優先した映像データである。この映像データは、無線ネットワーク出力向けの低解像度の映像データであり、以後「サムネイル映像」と呼称する。
画像処理演算部３０３が生成する「ＨＤ映像」と「サムネイル映像」には、撮影されたＩＰカメラおよび撮影時刻を特定するための映像ＩＤ（Identifier：識別子）が格納される。即ち、同一のＩＰカメラで、同一の時刻に生成された「ＨＤ映像」と「サムネイル映像」は、同一の映像ＩＤを持つ。
【００１８】
画像処理演算部３０３は、バス３０４を介して、エンコードした２種の映像データをワークメモリ３０６に伝送し、格納する。
バス３０４は、データバスであり、画像処理演算部３０３、制御部３０５、ワークメモリ３０６、不揮発メモリ３０７、有線ネットワーク接続部３０８、および無線ネットワーク接続部３０９と接続し、映像データおよび制御命令を接続された各機器間に伝送する。
制御部３０５は、不揮発メモリ３０７内に予め格納された動作プログラム３７１を実行し、設定情報３７０に基づいて、撮像部３０２、画像処理演算部３０３、および無線ネットワーク接続部３０９に、対応する動作の指示を行なう。
【００１９】
また、図１Ａおよび図１Ｂにおいて、制御部３０５は、時計機能を有し、外部のＮＴＰ（Network time protocol）サーバと通信し、定期的に時刻合わせを行う。
例えば、制御部３０５は、動作プログラム３７１を実行する動作として、ワークメモリ３０６に格納された２種類の映像データを配信する。第１の映像データはＨＤ映像であり、第２の映像データは公開鍵とサムネイル映像である。制御部３０５は、有線ネットワーク接続部３０８を介して、第１の映像データを配信する。また制御部３０５は、無線ネットワーク接続３０９および無線ネットワーク用アンテナ３１０を介して、第２の映像データを配信（伝送）する。
また例えば、制御部３０５は、ユーザ所持の携帯型端末２から無線ネットワーク接続部３０９を介して、アクセス権登録要求を受信したときには、後述する条件判定を行なう。そして、制御部３０５は、条件に合うと判定した場合には、有線ネットワーク接続部３０８を介して、ユーザ管理サーバ５にアクセス権の登録を要求する。
【００２０】
ワークメモリ３０６は、制御部３０５が動作プログラム３７１を実行する時のワークメモリに使用される。また、ワークメモリ３０６は、画像処理演算部３０３が出力するＨＤ映像とサムネイル映像の一時的な格納にも用いる。この実施例においては、ワークメモリ３０６には、不揮発メモリよりは高速な読み書きが可能な揮発メモリを使用する。
不揮発メモリ３０７には、ＩＰカメラ３の電源が落とされた場合にも、保持が必要な情報を格納する。例えば、不揮発メモリ３０７には、動作プログラム３７１、設定情報３７１、秘密鍵３７２、および公開鍵３７３が格納される。
【００２１】
動作プログラム３７１は、制御部３０５が稼動する実行ファイルである。
設定情報３７１には、図１Ｃに示すように、ユーザ管理サーバアドレス３７０１、撮像解像度３７０２、撮像フレームレート３７０３、ＨＤ映像情報３７０４、サムネイル映像情報３７０５、無線通信出力値３７０６、ＩＰカメラ情報３７０７、無線サムネイル映像配信フレームレート３７０８、および広告バナー情報３７０９がある。
ユーザ管理サーバアドレス３７０１は、ユーザ管理サーバ５のネットワークアドレス情報である。
撮像解像度３７０２は、撮像部３０２の動作を指示するための設定情報であり、撮像部３０２から出力する映像データの解像度を示す。
撮像フレームレート３７０３は、撮像部３０２の動作を指示するための設定情報であり、撮像部３０２から出力する映像データのフレームレートを示す。例えば、撮像フレームレートは、１［ｓ］当たりのフレーム数で示される。
ＨＤ映像情報３７０４は、画像処理演算部３０３の動作を指示するための設定情報であり、画像処理演算部３０３がエンコードして生成するＨＤ映像の解像度と圧縮率を示す。
サムネイル映像情報３７０５は、画像処理演算部３０３の動作を指示するための設定情報であり、画像処理演算部３０３がエンコードして生成するサムネイル映像の解像度と圧縮率を示す。
無線通信出力値３７０６は、無線ネットワーク接続部３０９が無線通信に用いる電波出力を指定する設定値である。
ＩＰカメラ情報３７０７は、ＩＰカメラ３の設置場所や識別に用いる文字列情報である。ＩＰカメラ情報３７０７は、無線ネットワーク回線６２によってサムネイル映像を送信する際、ＩＰカメラ情報３７０７も付与して配信する。
無線サムネイル映像配信フレームレート３７０８は、無線ネットワーク回線６２によってサムネイル映像を送信する映像データのフレームレートを示す。例えば、配信フレームレートは、１［ｓ］当たりのフレーム数で示される。無線出力のサムネイル映像の配信フレームレート３７０８は、撮像フレームレート３７０３以下の値を指定する。なお、ＩＰカメラ３は、無線出力のサムネイル映像の配信フレームレートを、有線ネットワーク回線に出力するＨＤ映像のフレームレートより、低くすることが可能である。
広告バナー情報３７０９は、ＩＰカメラ３にて保持する広告用の情報である。
【００２２】
図１Ａおよび図１Ｂの本発明の一実施例の自己撮影システムにおいて、自己撮影システムを使用中のユーザの携帯型端末２の画面に、広告用の情報を広告バナーのように表示する機能を加えても良い。このような機能を加えて運用する場合には、例えば、時間、場所、および、ユーザ属性それぞれについて、異なる広告を表示することも可能である。
なお、携帯型端末２での広告バナーの表示例は、後述の図１２で説明する。
広告用の情報は、ＩＰカメラ３と、後述するユーザ管理サーバ５にて保持する。
広告バナー情報３７０９は、ＩＰカメラ３にて保持する広告用の情報である。
広告バナー情報３７０９は、図１Ｄに示すように、複数の広告毎情報３７０９０と送信広告選択情報３７０９３で構成する。
広告毎情報３７０９０は、バナー画像３７０９１とリンクＵＲＬ３７０９２で構成する。
バナー画像３７０９１は、携帯型端末２に表示する広告用の画像データである。
リンクＵＲＬ３７０９２は、ユーザが携帯型端末２に表示されたバナー画像３７０９１を押下した際に表示するＷｅｂページのＵＲＬ（Uniform Resource Locator）を示す。
送信広告選択情報３７０９３は、広告バナー情報３７０９内に複数存在する広告毎情報３７０９０の中で、どれを携帯端末２に送信するか選択するための情報である。
上述した構成例では、送信広告選択情報３７０９３は、タイムテーブルであり、どの時間帯にどの広告毎情報３７０９０を使用するかを定めた情報が入力される。
【００２３】
携帯型端末２とＩＰカメラ３間は、公開鍵暗号方式を用いて通信を行う。
撮影を希望するユーザが保持する携帯型端末２とＩＰカメラ３間の通信には、秘密鍵３７２と公開鍵３７３を使用する。ＩＰカメラ３側の秘密鍵と公開鍵が、秘密鍵３７２と公開鍵３７３である。また、この公開鍵は、他のＩＰカメラ３と異なるユニークな値である。
有線ネットワーク接続部３０８は、有線のネットワークとＩＰカメラ内部のバス３０４を接続する。
無線ネットワーク接続部３０９は、無線ネットワーク用アンテナ３１０を介する無線のネットワークと、ＩＰカメラ内部のバス３０４を接続する。
無線ネットワーク用アンテナ３１０は、携帯型端末２とＩＰカメラ３間の無線ネットワーク通信に用いるアンテナである。
無線ネットワーク接続部３０９が用いる無線ネットワーク通信の出力値は、無線通信出力値３７０６で示される。その通信可能範囲は、数［ｍ］から数十［ｍ］程度とし、撮影された映像内にて撮影対象が認識できる大きさに映る範囲となるように、出力値を設定する。無線ネットワーク通信の方式は、例えば、Ｂｌｕｅｔｏｏｔｈ（登録商標）である。
無線ネットワーク用アンテナ３１０は、好ましくは、ＩＰカメラ３の撮影対象領域に合わせた指向性を有する。
【００２４】
図２Ａ、図２Ｂ、図２Ｃ、および図２Ｄを用いて、本発明の自己撮影システムの一実施例の構成と運用について説明する。図２Ａは、防犯用等に利用され、街中や公共施設内に設置される監視システムである。本発明の自己撮影システムは、既設の図２Ａの監視システムを使用して、一般のユーザが、外出中の行動記録および三人称視点での映像撮影を行い記録および閲覧するシステムである。
図２Ａにおいて、ネットワーク回線６は、ＷＡＮであり、街中１０のＩＰカメラ３、３−１、・・・、３−ｎ等のネットワーク機器（ｎは自然数）、各家庭のパソコン（ＰＣ：Personal Computer）１等のネットワーク機器、およびデータセンタ（映像録画サーバ４、ユーザ管理サーバ５）等のネットワーク機器と結合する。
ＩＰカメラ３、３−１、・・・、３−ｎは、街中１０に多数（図２では、ｎ＋１台）設置された防犯ＩＰカメラである。また、有線ネットワーク回線６３は、ネットワーク回線６とＩＰカメラ３（ＩＰカメラ３、３−１、・・・、３−ｎを代表してＩＰカメラ３と称する）を接続する。
【００２５】
外出中の行動記録および三人称視点での映像撮影を希望するユーザは、携帯型端末２を持ち歩く。携帯型端末２は、街中１０に設置された監視システムのＩＰカメラ３と無線ネットワーク回線で通信を行う、この無線回線は、図２では、無線ネットワーク回線６２とする。
パソコン１は、外出中の行動記録および三人称視点での映像撮影を希望したユーザの自宅に設置されたパソコンである。ネットワーク回線６上でユーザの自宅パソコン１までの回線を、ブロードバンドネットワーク回線６１とする。
【００２６】
映像録画サーバ４は、多数のＩＰカメラ３の映像データを長期間保持するサーバ装置である。また映像録画サーバ４は、任意時刻の映像の読み出しを可能とするサーバ装置である。
その実現手段は、この発明の本質でないため省略するが、実現手段の一例として、特許第４２３７５４９号公報や特許第４４０１１３２号公報等に記載がある。
図２Ａ〜図２Ｄの実施例では、映像録画サーバ４は、録画装置を集中管理するデータセンタに設置されているものとする。また、図２の実施例では、ネットワーク回線６上で映像録画サーバ４に接続するネットワーク回線を、データセンタ屋内ネットワーク回線６４とする。
映像録画サーバ４は、ＩＰカメラ３が撮影した映像（ＨＤ映像１１とサムネイル映像２１）をネットワーク回線６３、６、および６４を介して取得し、取得したＨＤ映像１１とサムネイル映像２１を、映像録画サーバ４内の記録デバイス４０１に保持する。
【００２７】
ユーザ管理サーバ５は、携帯型端末２から発したアクセス権登録要求と映像出力を保持する。アクセス権の保持にはデータベースを用いるが、データベースの構成はこの発明の本質ではないため省略する。
またユーザ管理サーバ５は、パソコン１から発せられた映像要求に対し、アクセス権限があるか調査し、権限がある場合には、映像録画サーバ４から映像データを読み出しパソコン１に送付する。
図２の実施例では、ユーザ管理サーバ５は、映像録画サーバ４と同一のデータセンタに設置されているものとする。なお、ネットワーク回線６上でユーザ管理サーバ５に接続するネットワーク回線を、データセンタ屋内ネットワーク回線６５とする。
【００２８】
なお、図２Ａ、図２Ｂ、図２Ｃ、および図２Ｄの実施例では、ブロードバンドネットワーク回線６１および有線ネットワーク回線６３は、ブロードバンド回線を使用しており、ＩＰカメラ３が出力するＨＤ映像の必要帯域を十分に上回っている。
また、データセンタ屋内ネットワーク回線６４およびデータセンタ屋内ネットワーク回線６５は、データセンタ内の高速回線を使用しており、ブロードバンドネットワーク回線６１や有線ネットワーク回線６３よりも高速である。
一方、無線ネットワーク回線６２は、他のネットワーク回線６１、６３及び６４より利用可能帯域は狭いが、サムネイル映像の伝送には十分な帯域を持っているものを使用する。
【００２９】
外出中の行動記録を生成したいユーザは、携帯型端末２を携帯する。ＩＰカメラ３の撮影のタイミングはユーザが選択可能である。ユーザは、一定時間毎にＩＰカメラ３に撮影させても良く、またユーザの操作によって携帯型端末２から指示があった時点のみ撮影するようにしても良い。ここで、本明細書では、前者を「自動撮影」モード、後者を「手動撮影」モードと称する。図２Ｂは、ユーザが撮影しようとする街中１０の一例を模式的に表している。即ち、ＩＰカメラ３の撮影動作を、「自動撮影」モード、または「手動撮影」モードとする選択は、ユーザの操作に基づいて、携帯型端末２が決定可能である。
ユーザは、今、図２Ｂで表した街中１０にいる。ＩＰカメラ３は、図２Ｂで表した街中１０を撮影し、無線サムネイル映像配信フレームレート３７０８で設定されたフレームレートで、サムネイル映像２１として、公開鍵３７３とＩＰカメラ情報３７０７と共に無線ネットワーク回線に出力する。勿論、ユーザは撮影された街中１０の画像中に映り込まれている。
ＩＰカメラ３の無線通信可能距離は、ＩＰカメラ３の撮影対象となる距離である。このような距離しか到達しないように、ＩＰカメラ３の無線出力は小さく調整されている。また、ＩＰカメラ３は、固定された所定の画角で定められた撮影対象領域を撮影するように、設けられている。従って、この撮影対象領域が撮影された場合にはその中の画像中に、ユーザが一緒に映っている。
【００３０】
携帯型端末２は、街中１０に設置されたいずれかのＩＰカメラ３と、無線通信が可能な状態であれば、その旨を伝える表示を行う（詳細は図３Ａ、図３Ｂ、図３Ｃ、図３Ｄ〜図５Ａ、図５Ｂ、図５Ｃ、図５Ｄを用いて後述する。）。従って、ユーザの携帯端末２は、上述のＩＰカメラ３が撮影したサムネイル映像２１を、公開鍵３７３とＩＰカメラ情報３７０７と共に受信することができる。
携帯型端末２とＩＰカメラ３の無線回線６２が通信可能距離にあり、携帯型端末２は、ユーザの操作により、「自動撮影」モードまたは「手動撮影」モードのいずれかにて撮影の指示を出す。ＩＰカメラ３は、携帯型端末２から上述のいずれかの撮影モードでの撮影指示を受信する。受信後、ＩＰカメラ３は、撮影対象領域の撮影を行い、撮影した映像のサムネイル映像２１を無線ネットワーク回線６２を介して送信する。当該ＩＰカメラ３の撮影対象領域内の携帯型端末２は、ＩＰカメラ３から無線ネットワーク回線６２を介して、サムネイル映像２１受信し、受信したサムネイル映像２１（図１Ｃ参照）を携帯型端末２内の記録デバイスに保存し、アクセス権要求をＩＰカメラ３に送信する。なお、同時に、ＩＰカメラ３は、撮影した映像のＨＤ映像１１とサムネイル映像２１をネットワーク回線６３、６、および６４を介して映像録画サーバ４に配信し、映像録画サーバ４は、取得したＨＤ映像１１とサムネイル映像２１を、映像録画サーバ４内の記録デバイス４０１に保持する。
ユーザは、帰宅後、パソコン１を用いて、携帯型端末２に保存したサムネイル２１内の映像ＩＤと、撮影された時点で登録したアクセス権を用いて、ユーザ管理サーバ５にアクセスする。これによって、パソコン１は、映像録画サーバ４からネットワーク回線を介してサムネイル映像２１と同一映像ＩＤのＨＤ映像１１（図１Ｄ参照）を取得する（詳細は図６を用いて後述する。）。
一般的に、携帯型端末２のデータ保存用の容量は、パソコン１のそれに比べ小さい。それゆえに、ユーザは、携帯型端末２に保存したサムネイル情報２１をパソコン１に転送し、携帯型端末２内からは削除しても良い。
【００３１】
図３Ａ、図３Ｂ、図３Ｃ、および図３Ｄによって、本発明に使用する携帯型端末２の構成例と初期画面について説明する。図３Ａは、携帯型端末２の構成の一実施例を示す図である。図３Ｂと図３Ｃは、携帯型端末２の表示部（表示パネル）２１０に表示される初期画面を示す図である。また、図３Ｄは、携帯型端末２の表示部２１０に表示される詳細設定画面を示す図である。
図３Ａに示す携帯型端末２のハードウェアは、例えば、市販されている汎用のＰＤＡ（Personal Digital Assistant）、若しくは、スマートフォン、またはアプリケーションの実行可能な携帯電話端末を使用する。携帯型端末２は、ＩＰカメラ３と無線ネットワーク回線６２で接続可能な部位、蓄電池、表示部２１０、不揮発性メモリ２２、および制御部を最小構成とする。かつ、制御部は、本発明の自己撮影システム用のアプリケーションの動作を制御する。
不揮発性メモリ２２は、本発明の自己撮影システム用の携帯型端末アプリケーションの動作に必要な情報として、動作プログラム２２１、秘密鍵２２２、公開鍵２２３、設定情報２２４、サムネイル映像保存領域２２５、およびユーザ情報２２６を有する。
【００３２】
設定情報２２４は、本発明の自己撮影システム用の携帯型端末アプリケーションの動作を指定するための設定情報である。この設定情報２２４は、撮影許可フラグ２２４０、撮影モード２２４１、撮影時間間隔２２４２、および削除確認モード２２４３から成る。
撮影許可フラグ２２４０は、後述する図３Ｃの詳細設定画面２３−２でユーザが選択する値であり、「撮影許可」と「撮影不許可」の値を持つ。
撮影モード２２４１は、後述する図３Ｂの初期画面２３でユーザが選択する値であり、「手動撮影」若しくは「自動撮影」のいずれかを保持する。
撮影時間間隔２２４２は、ユーザが指定する値であり、初期画面２３でユーザが撮影モードとして「自動撮影」モードを選択した時に、サムネイル映像を保存する時間間隔である。
削除確認モード２２４３は、図４の画面２６および図５の画面２９の削除対象の選択画面であり（後述する）、詳細設定画面２３−２においてユーザが選択する値である。ユーザが対象映像クリップ（以降、映像クリップを、単に、クリップと称する）をダブルクリックで選択した場合に、画面に「削除しますか？」とポップアップ表示された時にユーザが選択する値であり、「確認を行う」または「確認を行わないずに対象クリップを削除する」のいずれかの値である。この実施例でのデフォルトは、「確認を行う」である。
広告表示モード２２４４は、図４の画面２４および画面２５、図５の画面２７および画面２８（後述する）にて、図１２の画面２４−２の如く、広告バナーを表示するか否かの設定値である。ユーザが詳細設定画面２３−２にて選択する場合もあるが、固定値とする場合もある。
統計用情報２２４５は、システム運営者の統計情報作成に協力する場合におけるユーザ申告の属性情報（例えば、「年代」「性別」「職業」）である。
【００３３】
動作プログラム２２１は、本発明の自己撮影システム用の携帯型端末アプリケーションの実行ファイルである。
携帯型端末２とＩＰカメラ３間では、公開鍵暗号方式で通信を行う。その時、携帯型端末２側には、秘密鍵２２２と公開鍵２２３が保持される。この公開鍵２２３は、他の携帯型端末２と異なるユニークな値であり、本発明の自己撮影システムの携帯型端末アプリケーションの初回実行時に、携帯型端末毎にユニークな値に現在時刻値およびその時点での電波強度などの値を主として生成する。
ユーザ情報２２６は、本発明の自己撮影システムの運営者側が発行したユーザの識別に用いる情報であり、ユーザ毎にユニークな値である。ユーザ情報２２６は、公開鍵２２３生成後の携帯型端末２とユーザ管理サーバ５間での初回通信時に、ユーザ管理サーバ５によって発行される。
サムネイル映像保存領域２２５は、ＩＰカメラ３から取得した多数のサムネイル映像２１とその映像ＩＤを保持する領域である。
この実施例の携帯型端末アプリケーションは、クリップ毎にディレクトリを作成し、サムネイル映像２１とその映像ＩＤとＩＰカメラ情報３７０７を保持する（後述する）。
【００３４】
図３Ｂに示す画面２３は、本発明の自己撮影システムの携帯型端末アプリケーションの起動画面であり、ここで撮影モードの選択をユーザに要求する。
画面２３上には、「手動撮影」選択ボタン２３０１、「自動撮影」選択ボタン２３０２、自動撮影モードでのサムネイル保存時間間隔を選択するリストボックス２３０３、および「詳細設定」選択ボタン２３０４が配置されている。
【００３５】
まずは、設定情報２２４の撮影許可フラグ２２４０が「撮影許可」の場合について説明する。
「手動撮影」選択ボタン２３０１をユーザがクリックすると、図３Ｂの画面２３から図４Ａの画面２４に遷移する。
「自動撮影」選択ボタン２３０２をユーザがクリックすると、図３Ｂの画面２３から図５Ａの画面２７に遷移する。
リストボックス２３０３では、自動撮影モードでのサムネイル映像とその映像ＩＤの保存時間間隔を指定する。この実施例では、５秒毎、１０秒毎、３０秒毎、１分毎、１０分毎、を選択肢としている。
ユーザが詳細設定ボタン２３０４をクリックすると、図３Ｂの画面２３から図３Ｃの画面２３−２に遷移する。
【００３６】
次に、設定情報２２４の撮影許可フラグ２２４０が「撮影不許可」の場合の画面２３’を図３Ｃによって説明する。
ボタン２３０１’の文字列を「ＩＰカメラ確認」とする。ボタン２３０２’は押下不可の状態である。「ＩＰカメラ確認」ボタン２３０１’をユーザがクリックすると、画面は図３Ｃの画面２３’から図１２の図２４−２に遷移する。
【００３７】
図３Ｄの画面２３−２は、自己撮影システム用の携帯型端末アプリケーションの詳細設定画面である。ユーザは、この画面２３−３で、動作モードの設定を行なう。
画面２３−２上には、撮影許可チェックボックス２３２０、統計情報許可チェックボックス２３２１、年代入力リストボックス２３２２、性別入力リストボックス２３２３、職業入力ボックス２３２４、削除確認モードリストボックス２３２５、広告表示許可リストボックス２３２６、更新ボタン２３２７、およびキャンセルボタン２３２８を設けている。
【００３８】
図３Ｄにおいて、撮影許可チェックボックス２３２０は、本発明の自己撮影システム用の携帯型端末アプリケーションから、アクセス権要求の通信をＩＰカメラ３に対して行なうことを、ユーザが許可するか否かの選択を行なう。このチェックボックス２３２０の初期値は、設定情報２２４の撮影許可フラグ２２４０の値（「撮影許可」または「撮影不許可」）である。
このチェックボックス２３２０が不許可（「撮影不許可」）の場合には、後述する図１２の画面２４−２で説明する近隣のＩＰカメラ３からサムネイル映像確認の画面のみが利用可能である。
このチェックボックス２３２０が許可される（「撮影許可」になる）と「手動撮影」が利用可能となる。さらに、このチェックボックス２３２０と統計情報許可チェックボックス２３２１が許可されると「自動撮影」が利用可能となる。
また、このチェックボックス２３２０が不許可の場合には、統計情報許可チェックボックス２３２１内の項目２３２２〜２３２４と、削除確認モードリストボックス２３２５を選択肢を空白として選択不可の状態とし、広告表示許可リストボックス２３２６を「表示あり」のみ選択可とする。
【００３９】
統計情報許可チェックボックス２３２１は、統計用情報の登録を行なうか否かの選択を行なう。このチェックボックス２３２１を許可とする（チェックマークがはいる）と「自動撮影」が利用可能となる。
ユーザがこのチェックボックス２３２１を許可とすると、ボックス２３２２〜２３２４の項目への入力が可能となる。このチェックボックス２３２１の初期値は、設定情報２２４の統計用情報２２４５の値である。
年代入力リストボックス２３２２では、ユーザの年代（例えば、「３０代」）を選択する。選択肢は、例えば、「１０歳未満」「１０代」「２０代」「３０代」「４０代」「５０代」「６０代」「７０代以上」とする。
性別入力リストボックス２３２３では、ユーザの性別「男」若しくは「女」を選択する。
職業入力ボックス２３２４には、ユーザの職業（例えば、「会社員」）を入力する。
【００４０】
削除確認モードリストボックス２３２５は、後述する図４Ｃの画面２６や図５Ｃの画面２９の削除対象の選択画面にて、確認を促すポップアップを表示するか否かを選択する。選択肢は「確認あり」と「確認なし」とする。このリストボックスの初期値は、設定情報２２４の削除確認モード２２４３の値である。
広告表示許可リストボックス２３２６は、後述する図４Ａの画面２４、図４Ｂの画面２５、図５Ａの画面２７、図５Ｂの画面２８において、画面下部のモード表示欄にバナー広告の表示を許可するか否かを選択する。選択肢は「広告あり」と「広告なし」とする。このリストボックス２３２６の初期値は、設定情報２２４の広告表示モード２２４４の値とするが、撮影許可チェックボックス２３２０が不許可の場合には、選択肢は「広告あり」のみとする。
撮影許可チェックボックス２３２０が許可されている場合であって、この広告表示許可リストボックス２３２６でユーザが「広告あり」を選択した場合には、詳細は後述するが録画枚数や保存期間やフレームレートなど、ユーザの携帯型端末２は、「広告なし」より、高品位のサービスが受けることができる。
【００４１】
ユーザが、更新ボタン２３２７を押下すると、この画面２３−２で入力された値を設定値２２４に格納する。具体的には、撮影許可チェックボックス２３２０の値を撮影許可フラグ２２４０に、統計用情報の項目２３２１〜２３２４を統計用情報２２４５に、削除確認モードリストボックス２３２５の値を削除確認モード２２４３に、広告表示許可リストボックスの値を広告表示モード２２４４に、それぞれ格納する。その後、図３Ｂの画面２３に遷移する。
また、統計用情報２２４５が更新された後、初回のユーザ管理サーバ５との通信において、統計用情報２２４５の内容が携帯型端末２からユーザ管理サーバ５に送信される。
ユーザが、キャンセルボタン２３２８を押下すると、この画面２３−２で入力された値は、全て破棄され、画面２３に遷移する。
【００４２】
次に、図４Ａ、図４Ｂ、図４Ｃ、図４Ｄ、および図１２によって、本発明の自己撮影システム用の携帯型端末アプリケーションの手動録画モードの画面について説明する。図４Ａは、携帯型端末２の表示部２１０に表示される手動録画モードの「撮影確認モード」の画面の一実施例を示す図である。図４Ｂは、携帯型端末２の表示部２１０に表示される手動録画モードの「閲覧モード」の画面の一実施例を示す図である。図４Ｃと図４Ｄは、携帯型端末２の表示部２１０に表示される手動録画モードの「削除モード」の画面の一実施例を示す図である。図１２は、本発明の一実施例の係わる携帯型端末画面の広告表示を例示する図であって、携帯型端末２の表示部２１０に表示される手動録画モードの「撮影確認モード」の画面の一実施例を示す図である。
【００４３】
図４Ａにおいて、画面２４は、本発明の自己撮影システム用の携帯型端末アプリケーションの手動録画モードの「撮影確認モード」がテキスト表示された画面である。
画面２４では、その時点でユーザを撮影しているであろうＩＰカメラ３からのサムネイル映像の一覧を表示する。この図４Ａの画面２４では、２つのＩＰカメラ（カメラＡおよびカメラＢ）から撮影されている。
画面２４は、クリップ２４１、クリップ２４２、空白２４３、および表示モード欄２４０を有する。
図４Ａの実施例では、１つのクリップで１台のＩＰカメラの情報を示す。
【００４４】
撮影確認モードのクリップ内の構成を、クリップ２４１を用いて説明する。クリップ２４１は、サムネイル映像２４１０、ＩＰカメラ情報２４１１、および撮影ボタン２４１２を有する。
サムネイル２４１０は、ＩＰカメラ３から無線ネットワーク回線６２を介して受信したサムネイル映像である。
ＩＰカメラ情報２４１１は、ＩＰカメラ３から無線ネットワーク回線６２を介して受信したＩＰカメラ情報３７０７である。
【００４５】
ユーザがクリックすると、撮影ボタン２４１２を、携帯型端末２の制御部は、本発明の自己撮影システム用の携帯型端末アプリケーションに基づいて、サムネイル映像２４１０とＩＰカメラ情報２４１１を、サムネイル映像保存領域２２５に保存し、当該ＩＰカメラにアクセス権要求の通信を行う。
２つのクリップを表示している場合には、現在、２台のＩＰカメラからサムネイル映像を受信していることを示す。受信中のＩＰカメラの台数が増えると、空白２４３の領域にクリップが追加される。サムネイル映像を受信可能なＩＰカメラの台数が多く、空白２４３に収まらない場合には、図４Ｂ以降で後述するスクロールバー２５０４を表示し、画面のスクロールを可能とし、全体を見るときにはスクロール操作することで対応する。
また、現在受信可能なＩＰカメラが存在しない場合には、画面に１クリップも表示せず、画面２１０には空白２４３と表示モード欄２４０のみを表示する。
本実施例では、画面２１０に表示するクリップの表示順番は、上側からＩＰカメラから受信する無線電波の強度の強い順、即ち、ＩＰカメラとの距離が小さい順に並ぶように表示している。
表示モード欄２４０は、現在の表示モードを示す文字列２４０１およびボタン２４０２を有する。
文字列２４０１は、現在の表示モードが表示される。図４Ａでは、文字列２４０１として、「撮影確認モード」がテキスト表示される。
ユーザがボタン２４０２をクリックすると、図４Ｂの画面２５の「閲覧モード」に遷移する。
【００４６】
次に、図１２の画面２４−２を用いて、ユーザが設定画面２３−２で撮影許可チェックボックス２３２０を不許可とし、アクセス権要求の通信をＩＰカメラ３に送信できない場合の画面を説明する。
画面２４−２は、図４Ａの画面２４から、撮影ボタン２４１２とボタン２４０２を不活性化して撮影ボタン２４１２−２とボタン２４０２−２とし、広告バナー領域２４０３を追加したものである。
撮影ボタン２４１２−２とボタン２４０２−２は、ボタンは表示するが押せない状態とし、ボタン機能が封印されて使用できない状態であることを示す。
表示モード欄２４０−２は、表示モード欄２４０に広告バナー領域２４０３を追加したものである。
広告バナー領域２４０３には、所定の場所毎および所定の時間毎に、システム運営者側が用意した、適した広告のバナーを表示する。ユーザが携帯型端末２を操作して、広告バナー２４０３を押下した時には、Ｗｅｂブラウザを起動し、該等広告が示すＵＲＬのＷｅｂページを表示する。
サムネイル映像受信可能なＩＰカメラが複数台存在する場合には、本実施例は、表示する広告バナー数を１つとし、クリップの表示順序で最上となるＩＰカメラからの広告バナーを表示する。
図４Ａの画面２４においても、設定の広告表示モード２２４４（図３Ａ、および図３Ｄの広告表示許可リストボックス２３２６参照）が「広告を表示する」である場合には、図１２の画面２４−２の広告バナー領域２４０３と同様に、表示モード欄２４０に広告バナー領域を設ける。
【００４７】
図４Ｂにおいて、画面２５は、本発明の自己撮影システム用の携帯型端末アプリケーションの手動録画モードの「閲覧モード」がテキスト表示された画面である。
画面２５では、図４Ａの画面２４で撮影した映像情報の一覧を表示する。
画面２５は、クリップ２５１〜クリップ２５４と、表示モード欄２５０を有する。
１クリップで１撮影分の情報を示す。複数のクリップが表示されている場合には、そのクリップの数分、撮影していたことを示す。撮影を行っていなければ、画面２４と同様に画面全体が空白となる。また撮影数が多く、画面に収まりきらない場合には、スクロールバー２５０４を表示し、全体を見るときには画面をスクロール操作することで対応とする。
本実施例では、画面２１０に表示するクリップの表示順は、上側から撮影時刻の新しいものを表示するようにしている。
【００４８】
閲覧モードの１クリップの構成を、クリップ２５１を用いて説明する。クリップ２５１は、サムネイル映像２５１０と、ＩＰカメラ情報２５１１と、映像時刻２５１２を有する。
サムネイル映像２５１０は、図４Ａの画面２４でユーザが撮影ボタン２４１２を押下して撮影し、サムネイル映像保存領域２２５に保持したサムネイル映像である。
ＩＰカメラ情報２５１１は、サムネイル映像２５１０を撮影したＩＰカメラの情報であり、当該ＩＰカメラ３のＩＰカメラ情報３７０７の内容である（図１Ｃ参照。）。
映像時刻２５１２は、サムネイル映像２５１０を撮影した時刻、サムネイル映像２５１０から抽出した映像ＩＤから変換した値である。
表示モード欄２５０は、現在の表示モードを示すモード文字列２５０１、ボタン２５０２、およびボタン２５０３を有する。
モード文字列２５０１には、現在の表示モードが表示される。図４Ｂでは、「閲覧モード」とテキスト表示される。
ユーザがボタン２５０２をクリックすると、図４Ａの画面２４の「撮影確認モード」に遷移する。また、ユーザがボタン２５０３をクリックすると、図４Ｃの画面２６の「削除モード」に遷移する。
図４Ｂの画面２５においても、設定の広告表示モード２２４４が「広告を表示する」である場合には、図１２の画面２４−２の広告バナー領域２４０３と同様に、表示モード欄２５０に広告バナー領域を設ける。そして、クリップの表示順序で最も上側に表示されるＩＰカメラからの広告バナーを表示する。
【００４９】
図４Ｃにおいて、画面２６は、本発明の自己撮影システム用の携帯型端末アプリケーションの手動録画モードの「削除モード」がテキスト表示された画面である。
画面２６では、画面２４で撮影した映像情報の一覧を表示し、選択したクリップの削除を行う。例えば、画面２５の背景領域２５００の背景色とは異なる背景色に各クリップの背景領域２６００の色を変える。この結果、ユーザは、削除モードであることを一目で迅速かつ正確に認識することができる。
画面２６は、クリップ２６１〜クリップ２６４と、表示モード欄２６０を有する。
クリップ２６１〜クリップ２６４の表示内容は、背景色を除けば画面２５のクリップ２５１〜クリップ２５４と同じである。
【００５０】
ユーザが画面２６でクリップの１つ（例えば、クリップ２６２）を選択して、選択したクリップをダブルクリックした場合には、削除確認モード２２４３が「確認を行わずに対象クリップを削除する」であれば、サムネイル映像保存領域２２５から直ちにそのクリップの情報を削除し、かつ、画面２６のそのクリップの表示も削除する。
ユーザが画面２６でクリップの１つ（例えば、クリップ２６２）を選択して、選択したクリップをダブルクリックした場合には、削除確認モード２２４３が「確認を行う」であれば、図４Ｄの画面２６５に遷移する。そして、画面２６５において、選択したクリップの中にダイアログ２６５０を表示し、ダイアログ２６５０以外のクリップを無効化する。図４Ｄでは、表示していないが、グレー表示等でも良い。
ダイアログ２６５０は、「Ｙｅｓ」ボタン２６５１と、「Ｎｏ」ボタン２６５２を有する。
ユーザが「Ｎｏ」ボタン２６５２をクリックすると、図４Ｃの画面２６に遷移する。
ユーザが「Ｙｅｓ」ボタン２６５１をクリックすると、選択したクリップの情報をサムネイル映像保存領域２２５から削除し、かつ、画面２６の表示からも削除し、図４Ｂの画面２５に遷移する。
表示モード欄２６０は、現在の表示モードを示すモード文字列２６０１およびボタン２６０２を有する。
モード文字列２６０１には、現在の表示モードを示す「削除モード」がテキスト表示される。
ボタン２６０２をユーザがクリックすると、画面２５の「閲覧モード」に遷移する。
【００５１】
図５Ａ、図５Ｂ、図５Ｃ、および図５Ｄを用いて、本発明の自己撮影システム用の携帯型端末アプリケーションの自動録画モードの画面説明を行なう。図５Ａは、本発明の自己撮影システム用の携帯型端末アプリケーションの自動録画モードの「自動撮影中」の画面の一実施例を示す図である。図５Ｂは、本発明の自己撮影システム用の携帯型端末アプリケーションの自動録画モードの「自動撮影中  プレビュー」の画面の一実施例を示す図である。また図５Ｃは、本発明の自己撮影システム用の携帯型端末アプリケーションの自動録画モードの「削除モード」の画面の一実施例を示す図である。さらに図５Ｄは、本発明の自己撮影システム用の携帯型端末アプリケーションの自動録画モードの「削除モード」の「確認を行う」の画面の一実施例を示す図である。
【００５２】
図５Ａにおいて、画面２７は、本発明の自己撮影システム用の携帯型端末アプリケーションの自動録画モードの「自動撮影中」がテキスト表示された画面である。
画面２７は、現在までに受信したサムネイル映像の一覧をＩＰカメラ毎にまとめて表示する。
画面２７は、クリップ２７１〜クリップ２７４、および表示モード欄２７０を有する。
この実施例では、説明を簡単にするため、１クリップで１台のＩＰカメラ分の情報を示すものとして説明を行なう。しかし、サムネイル映像の時間が一定以上開いている場合には、１台のＩＰカメラ分の情報を分割して、別クリップとしても良い。
【００５３】
ユーザの行動中に、ＩＰカメラからサムネイル映像が受信されていなければ、画面２７には１クリップも表示されない。複数のＩＰカメラからサムネイル映像の受信を行っていれば、画面２７は、そのＩＰカメラの台数分のクリップを表示する。クリップ数が多くなり、画面に収まりきらない場合には、スクロールバー２７０３を表示し、全体を見るときにはスクロール操作をすることで対応する。
本実施例では、画面２１０に表示するクリップの表示順番は、上側から新しい時刻順である。各ＩＰカメラ内の最新サムネイル映像を、全ＩＰカメラ間で時刻比較し、新しい順に表示する。
【００５４】
「自動撮影中」モードのクリップ内の構成を、クリップ２７１を用いて説明する。クリップ２７１は、サムネイル映像２７１０、ＩＰカメラ情報２７１１、映像時刻２７１２、最古差分秒数２７１３、および最新差分秒数２７１４を有する。
サムネイル映像２７１０は、当該ＩＰカメラ３の映像時刻２７１２の時刻のサムネイル映像である。
ＩＰカメラ情報２７１１は、当該ＩＰカメラ３のＩＰカメラ情報３７０７である。
映像時刻２７１３は、当該ＩＰカメラ３から受信したサムネイル映像内にて、最古映像と最新映像の中間付近の切りの良い値（例えば、撮像時刻の秒単位で表す値が０）のサムネイル映像の映像時刻を用いる。
最古差分秒数２７１３は、当該クリップ内の最古のサムネイル映像の時刻と、映像時刻２７１３の差分の秒数を示す。
最新差分秒数２７１４は、当該クリップ内の最新のサムネイル映像の時刻と、映像時刻２７１３の差分の秒数を示す（例：２７２４）。ただし、ＩＰカメラからのサムネイル映像の受信が継続している場合には、継続していることを示すため「・・・」を表示する。（例：２７１４）
つまり、最古差分秒数２７１３と最新差分秒数２７１４は、当該ＩＰカメラの付近にどのくらいの時間滞在していたかを示している。
いずれかのクリップをダブルクリックすると、そのＩＰカメラから受信したサムネイル映像の一覧の表示を行う画面２８に遷移する。
【００５５】
表示モード欄２７０は、現在の表示モードを示すモード文字列２７０１およびボタン２７０２を有する。
モード文字列２７０１は、現在の表示モードが表示される。図５Ａでは、文字列２７０１として、「自動撮影中」がテキスト表示される。
ユーザがボタン２７０２をクリックすると、図５Ｃの画面２９の「削除モード」に遷移する。
図５Ａの画面２７においても、設定の広告表示モード２２４４が「広告を表示する」である場合には、図１２の画面２４−２の広告バナー領域２４０３と同様に、表示モード欄２７０に広告バナー領域を設ける。そして、クリップの表示順序で最上となるＩＰカメラからの広告バナーを表示する。
【００５６】
図５Ｂにおいて、画面２８は、本発明の自己撮影システム用の携帯型端末アプリケーションの自動録画モードの「自動撮影中  プレビュー」がテキスト表示された画面である。
図５Ｂの画面２８は、図５Ａの画面２７で選択されたクリップ内のサムネイル映像の一覧を表示する。
画面２８は、選択クリップ２８１、サムネイル映像一覧フィルム表示２８１０、非選択クリップ群２８２、および表示モード欄２８０を有する。
選択クリップ２８１は、ユーザが画面２７で選択したクリップである。
非選択クリップ群２８２は、画面２７でユーザが選択しなかったクリップであり、画面２８では、例えば、背景色と文字色を変える。この結果、ユーザは、どのクリップを選択したしたかを一目で迅速かつ正確に認識することができる。
【００５７】
サムネイル映像一覧フィルム表示２８１０には、選択されたクリップ２８１内の全てのサムネイル映像を、一列に並べて表示する。画面に収まらないサムネイル映像は、上下へのスクロール操作で対応する。例えば、ユーザが、サムネイル映像一覧フィルム表示２８１０を上下にドラック操作することで、サムネイル映像一覧フィルム表示２８１０内の表示サムネイルは上下にスクロールする。
ユーザが、選択クリップ２８１、またはサムネイル映像一覧フィルム表示２８１０以外の領域をクリックすると、画面２７に遷移する。
表示モード欄２８０は、現在の表示モードを示すモード文字列２８０１を有する。
モード文字列２８０１は、現在の表示モードが表示される。図５Ｂでは、文字列２８０１として、「自動撮影中  プレビュー」がテキスト表示される。
図５ｂの画面２８においても、設定の広告表示モード２２４４が「広告を表示する」である場合には、図１２の画面２４−２の広告バナー領域２４０３と同様に、表示モード欄２８０に広告バナー領域を設ける。そして、クリップの表示順序で最上となるＩＰカメラからの広告バナーを表示する。
【００５８】
図５Ｃにおいて、画面２９は、本発明の自己撮影システム用の携帯型端末アプリケーションの自動録画モードの「削除モード」がテキスト表示された画面である。
画面２９では、選択されたクリップの削除を行う。例えば、図５Ａの画面２７の背景領域の背景色とは異なる背景色に各クリップの背景領域の色を変える。この結果、ユーザは、削除モードであることを一目で迅速かつ正確に認識することができる。
画面２９は、クリップ２９１〜クリップ２９４、および表示モード欄２９０を有する。
クリップ２９１〜クリップ２９４の表示内容は、背景色を除けば画面２７のクリップ２７１〜クリップ２７４と同じである。
【００５９】
ユーザが画面２９でクリップの１つ（例えば、クリップ２９４）を選択して、選択したクリップをダブルクリックした場合には、削除確認モード２２４３が「確認を行わずに対象クリップを削除する」であれば、サムネイル映像保存領域２２５から直ちにそのクリップの情報を削除し、かつ、画面２９のそのクリップの表示も削除する。
ユーザが画面２９でクリップの１つ（例えば、クリップ２６２）を選択して、選択したクリップをダブルクリックした場合には、削除確認モード２２４３が「確認を行う」であれば、図５Ｄの画面２９５に遷移する。そして、画面２９５において、選択したクリップの中にダイアログ２９５０を表示し、ダイアログ２９５０以外のクリップを無効化する。図５Ｄでは、表示していないが、グレー表示等でも良い。
ダイアログ２９５０は、「Ｙｅｓ」ボタン２９５１と、「Ｎｏ」ボタン２９５２を有する。
ユーザが「Ｎｏ」ボタン２９５２をクリックすると、図５Ｃの画面２９に遷移する。
ユーザが「Ｙｅｓ」ボタン２９５１をクリックすると、選択したクリップの情報をサムネイル映像保存領域２２５から削除し、かつ、画面２９の表示からも削除し図５Ａの画面２７に遷移する。
表示モード欄２９０は、現在の表示モードを示すモード文字列２９０１およびボタン２９０２を有する。
モード文字列２９０１には、現在の表示モードを示す「削除モード」がテキスト表示される。
ボタン２９０２をユーザがクリックすると、画面２７の「自動撮影中」に遷移する。
【００６０】
図６を用いて、本発明の自己撮影システムの一実施例の処理および通信の流れを説明する。図６は、本発明の一実施例の情報の流れを説明するための図である。
図６において、処理７００〜７０６および処理７２０〜７２３は、ユーザが携帯型端末２を持ち、複数のＩＰカメラ３が設置された街中１０を移動する際の処理の流れである。なお、処理のうち、通信に関わる処理を、特に通信と称する。
通信７００では、ＩＰカメラ３は、一定時間（設定情報３７０の撮像フレームレート３７０３で既定される時間間隔）毎に所定の監視領域を撮影し、ネットワーク回線６を介して、生成した「ＨＤ映像」と「サムネイル映像」を映像録画サーバ４に送信する。映像録画サーバ４は、受信した映像データを記録デバイス内に保持する。
次に、通信７０１では、ＩＰカメラ３は、一定時間（設定情報３７０の無線サムネイル映像配信フレームレート３７０８で既定される時間間隔）毎に、無線ネットワーク６２に、「サムネイル映像」と公開鍵３７３と「広告毎情報」（現在時刻をもとに送信広告選択情報３７０９３で選択された広告毎情報３７０９０）を送出する。
【００６１】
処理７０２では、ＩＰカメラ３の無線通信可能圏内にユーザが訪れ、ユーザの所持する携帯型端末２で自己撮影システム用の携帯型端末アプリケーションが稼動中であれば、携帯型端末２は、ユーザの操作に基づいて、通信７０１でのデータを受信し、「サムネイル映像」と公開鍵３７３を取得する。
「自動撮影モード」か「手動撮影モード」のいずれかで、ユーザが撮影を指示した場合には、携帯型端末２は、受信したサムネイル情報から映像ＩＤを抽出し、通信７０３を実行する。また、広告表示モード２２４４の値をフラグ（以後「広告表示フラグ」と称する）として通信７０３に含める。「広告表示フラグ」の状態は「広告表示あり」と「広告表示なし」である。また、通信文内に「広告表示フラグ」が省略されている場合には、「広告表示フラグ」の状態が「広告表示なし」であるとして処理する。
【００６２】
補足として、想定している通信７０１のフレームレート（設定情報３７０の無線サムネイル映像配信フレームレート３７０８で既定される時間間隔）は、秒間１〜３０枚である。一方、「自動撮影モード」での撮影間隔（撮影時間間隔２２４２で既定される時間間隔）は、５秒〜１０分に１回である。
「自動撮影モード」での撮影は、通信７０１を、「自動撮影モード」の撮影間隔でサンプリングすることで実現する。
携帯型端末２は、「自動撮影モード」では、撮影間隔内に通信７０１を受信できなかった場合には、直後に受信した通信７０１の映像を採用する。
ゆえに、もし、通信７０１の配信の時間間隔が「自動撮影モード」の撮影間隔よりも長い場合には、携帯型端末２は、通信７０１の配信の時間間隔での撮影となる。
【００６３】
通信７０３では、携帯型端末２からＩＰカメラ３へ、アクセス権登録要求として、「映像ＩＤ」、「ユーザ情報２２６」、「公開鍵２２３」、および「広告表示フラグ」を、公開鍵３７３で暗号化して送信する。
処理７０４では、ＩＰカメラ３は、受信した通信７０３のデータを秘密鍵３７２で復号化し、「映像ＩＤ」、「ユーザ情報２２６」、「公開鍵２２３」、および「広告表示フラグ」を取得する。
通信７０５では、ＩＰカメラ３からユーザ管理サーバ５へ、アクセス登録要求として、復号化したデータ（「映像ＩＤ」、「ユーザ情報２２６」、「公開鍵２２３」、および「広告表示フラグ」）を送信する。
処理７０６では、ユーザ管理サーバ５は、通信７０５で受信した「ユーザ情報２２６」が有効なものか否かを判別し、有効なものであれば、「映像ＩＤ」、「ユーザ情報２２６」、「公開鍵２２３」、および「広告表示フラグ」を１レコードとして、ユーザ管理サーバ５内のデータベースに登録する。
【００６４】
「広告表示フラグ」が「広告表示あり」である場合には、「ユーザ情報２２６」に対応する「ユーザ属性」が登録されているか否かを調べる。登録されている場合には、現在時刻とＩＰカメラ３の場所とユーザ属性の情報をもとに、適した広告情報を選択し、通信７２０にて広告情報を送信する。（ユーザ属性については後述する）
通信７２０は通信７０５の応答で、登録が正常に行なわれたか否かを送信し、処理７０６の結果によっては、広告情報を送信する。
処理７２１は、ＩＰカメラ３が通信７２０での通信を受信して、通信７２２で携帯型端末３に向けて中継送信する。広告情報があれば、広告情報もそのまま中継送信する。
処理７２３では、携帯型端末３は、ＩＰカメラ３からの応答の通信７２２に広告情報が含まれており、かつ、携帯型端末アプリケーションの設定の広告表示モード２２４４が「広告バナー表示を行なう」状態である場合には、受信した広告情報を、画面上の広告バナー領域に表示する。
【００６５】
処理７０７〜７１８は、ユーザが帰宅後、携帯型端末２と自宅のパソコン１を併用しながら、移動時に登録したアクセス権を用いて「ＨＤ映像」を取得する際の処理を示している。
ユーザは、パソコン１と携帯型端末２を接続し、パソコン１でＨＤ映像取得用ソフトウェアを起動する。
パソコン１のＨＤ映像取得用ソフトウェアは、ネットワーク回線６を介して、ユーザ管理サーバ５に、通信７０７を行なう。
通信７０７では、パソコン１から、ユーザ管理サーバ５へ、通信時の暗号化に用いるユーザ管理サーバ５の公開鍵を要求する。
処理７０８では、ユーザ管理サーバ５は、パソコン１からの公開鍵要求を受け、公開鍵をパソコン１に送信する通信７０９を実行する。
通信７０９では、ユーザ管理サーバ５からパソコン１へ、ユーザ管理サーバ５の公開鍵を送付する。
処理７１０では、ユーザが、パソコン１のＨＤ映像取得用ソフトウェアを使用して、どのサムネイル映像のＨＤ映像を取得するか選択する。ＨＤ映像取得用ソフトウェアは、ユーザに選択されたサムネイル映像から映像ＩＤを抽出し、ユーザ管理サーバ５に通信７１１を行なう。
通信７１１では、パソコン１は、「映像ＩＤ」および「ユーザ情報２２６」を、通信７０９で得たユーザ管理サーバ５の公開鍵を用いて暗号化し、ユーザ管理サーバ５へ送信する。
【００６６】
処理７１２では、ユーザ管理サーバ５は、受信した通信７１１でのデータを、ユーザ管理サーバ５の秘密鍵を用いて暗号を復号化し、「映像ＩＤ」および「ユーザ情報２２６」を得る。ユーザ管理サーバ５は、データベースを検索して、この「映像ＩＤ」および「ユーザ情報２２６」のペアに合致するレコードが存在するか否かを判定する。ユーザ管理サーバ５は、合致するレコードがなければ、「アクセス権限がない」を趣旨とするエラーメッセージをパソコン１に送信する。また、合致するレコードがあれば、当該レコード内の「公開鍵２２３」を取得し、ＨＤ映像データを取得するため、映像録画サーバ４に通信７１３を実行する。
通信７１３では、ユーザ管理サーバ５は、「映像ＩＤ」が示す時刻のＨＤ映像のリクエスト文を映像録画サーバ４に送信する。
処理７１４では、映像録画サーバ４は、受信した通信７１３での「映像ＩＤ」の示す時刻のＨＤ映像を、映像録画サーバ４内の記録デバイスから読み出し、通信７１５を実行する。
通信７１５では、映像録画サーバ４は、ＨＤ映像をユーザ管理サーバ５に送信する。
処理７１６では、ユーザ管理サーバ５は、通信７１５で受信した「ＨＤ映像」と、「ユーザ情報２２６」とで署名計算を行い「署名値」を算出する。ユーザ管理サーバ５は、「映像ＩＤ」、「ユーザ情報２２６」、「公開鍵２２３」、「現在時刻」、および「署名値」を１要素としたログを、出力ログとして記録する。
通信７１７では、ユーザ管理サーバ５は、「ＨＤ映像」、「ユーザ情報２２６」、および「署名値」を「公開鍵２２３」で暗号化し、パソコン１に送信する。
処理７１８では、パソコン１は、受信した通信７１７を、「秘密鍵２２２」を用いて暗号を解き、「ＨＤ映像」と「署名値」を、パソコン１の記録デバイスに記録する。
【００６７】
実施例１によれば、外出時の行動記録の作成、特に三人称視点での映像撮影が可能な自己撮影システムを実現できる。
また、実施例１によれば、いつ何処にいたかという情報を、防犯用監視システム内に保持させることが可能となる。
さらに、実施例１によれば、不特定多数に公開せず、撮影された個人にのみ、当該映像を閲覧または提供することができる。
またさらに、実施例１によれば、システム運営者は、広告サービスを提供することができる。
【実施例２】
【００６８】
本発明の自己撮影システムでは、システム運営者は、ユーザに自己撮影のサービスを提供し、その対価として、ユーザからの情報を得る。この仕組みについての一構成例を、図１３〜図１６を用いて説明する。なお、本発明の自己撮影システムの構成、ＩＰカメラの構成、および携帯型端末の構成については、実施例１と同様である。
【００６９】
図１３によって、ユーザとシステム運営者とスポンサーの関係について説明する。図１３は、本発明の一実施例の係わるサービスと対価の関係を説明するための図である。
ユーザ９０１は、本発明の自己撮影システムを利用するユーザである。また、システム運営者９０２は、図２で説明したＩＰカメラ３と録画装置４とユーザ管理サーバ５を運営する者である。また、スポンサー９０３は、統計情報の利用者、広告出稿者、若しくは、広告代理店である。
図１３において、システム運営者９０２は、ユーザ９０１にサービス９１を提供し、その対価として情報・サービス料９２を受ける関係である。
またシステム運営者９０２は、スポンサー９０３に統計情報・広告枠９４を提供し、その対価として情報料・広告料９３を受ける関係である。
システム運営者９０２の主たる業務は、防犯であり、図２の防犯ＩＰカメラ３の購入および維持費、ネットワーク回線６の維持費、並びに、録画装置４の購入および維持費は、もともと防犯システムとして必要な経費であり、収入を得られる仕組みではなかった。
しかるに、先に示した本発明の一実施例のシステム構成によれば、ユーザ９０１およびスポンサー９０３から料金を受け、収入を得ることが可能となる。
【００７０】
また、ユーザ９０１とシステム運営者９０２間での、サービス９１と情報・サービス料９２の関係には、レベルがあり、ユーザ９０１がシステム運営者９０２に提供する情報または料金の選択よって、サービス９１の内容が変る仕組みである。この実施例ではレベルを３段階用意した、図１４〜図１６を用いて説明する。図１４〜図１６は、本発明の一実施例の係わるサービスと対価の関係を説明するための図である。
【００７１】
図１４を用いて、サムネイル映像のみを提供する構成について説明する。図１４は、ユーザ９０１が、携帯型端末２の設定画面２３−２（図３Ｄ参照）にて、撮影許可チェックボックス２３２０を「不許可」とした場合である。
本発明の一実施形態では、自己撮影システム用の携帯型端末アプリケーションから、アクセス権要求の通信をＩＰカメラ３に対して行なわない。ユーザ９０１は、アクセス権を取得できない構成である。しかし、逆に見ると、いつどこにいるかの情報を送信しない構成である。
システム運営者９０２は、サムネイル映像９１１をユーザ９０１に提供する。
携帯型端末アプリケーションは、図１２の画面２４−２で説明した機能が利用できる。この構成では、ユーザ９０１は、現在位置で自分を映すＩＰカメラの映像を見ることは可能であるが、保存はできない。また、広告表示が常に行なわれ、ユーザ９０１側には、非表示にする選択権がない。
ユーザ９０１側にとって、この構成は、防犯ＩＰカメラの存在確認、防犯ＩＰカメラの撮影映像の確認、および自己撮影システムの体験が可能であることがメリットである。
また、システム運営者９０２にとって、この構成は、サムネイル映像を見るユーザ９０１に、ＩＰカメラ毎に、時間毎に、適した広告を届けることが可能であることがメリットである。
【００７２】
図１５を用いて、手動撮影モードを提供する構成について説明する。
ユーザ９０１が、設定画面２３−２（図３Ｄ参照）にて、撮影許可チェックボックス２３２０を許可し、統計情報許可チェックボックス２３２１を不許可とした場合の構成である。
図１５は、図１４の構成に加え、ユーザ９０１がシステム管理者９０２にユーザ情報９２１を提供する。また、システム管理者９０２からユーザ９０１へは、ＨＤ映像と「位置・時刻・ユーザ情報」保持を行なう手動撮影サービス９１２を提供する。
このとき、システム運営者９０２は、ユーザ９０１の携帯型端末アプリケーションの設定が「広告あり」である場合には、「広告なし」の場合に比べ、一日内での撮影枚数の上限を増やす、アクセス権の保存期間を長くする、等の優遇を行なう。
ユーザ９０１側にとって、図１５の構成は、任意の時間に任意の場所で、自己撮影を行なえ、画像付きで、いつ何処にいたかの証明を行なえることがメリットである。
また、システム運営者９０２にとっては、ＨＤ映像に映る人の中に、ユーザが含まれているかを、アクセス権内のユーザ情報から識別可能となることがメリットである。
【００７３】
図１６を用いて、自動撮影モードを提供する構成について説明する。図１６は、ユーザ９０１が、設定画面２３−２にて、撮影許可チェックボックス２３２０を許可し、かつ、統計情報許可チェックボックス２３２１を許可とした場合の構成である。
図１６は、図１５の構成に加え、ユーザ９０１からシステム管理者９０２に、定期的にユーザ情報９２１を発行することで移動履歴９２２を提供し、システム管理者９０２からユーザ９０１へは、自動的に撮影を行なう自動撮影サービス９１３を提供する。
このとき、システム運営者は、ユーザ９０１の携帯型端末アプリケーションの設定が「広告あり」である場合には、「広告なし」の場合に比べ、一日内での撮影枚数の上限を増やす、アクセス権の保存期間を長くする、等の優遇を行なう。
ユーザ９０１側にとっては、街中１０の移動中、自動で一定時間毎に自己撮影を行なえ、画像付きで、いつ何処にいたかの証明を行なえることがメリットである。
また、システム運営者９０２にとっては、一定時間毎にユーザ９０１から受け取るアクセス権要求から、ユーザ９０１の移動経路が取得可能となることがメリットである。また、予め登録してある属性情報と関連付けての統計情報が生成可能であることもメリットである。
【００７４】
図１３に戻って説明する。ここで、システム運営者９０２は、スポンサー９０３に統計情報・広告枠９４の統計情報を提供するが、この統計情報は一定時間内に集計した情報であり、個人を特定できる情報については提供しない。提供する情報は、注目する１台のＩＰカメラで、一定時間毎の、ユーザから提供された「年代」「性別」「職業」および「経路情報」の統計情報を提供する。システム運営者９０２は、スポンサー９０３に、「ＨＤ映像」、「サムネイル映像」および「ユーザＩＤ情報」を提供しない。
また、システム運営者９０２は、スポンサー９０３に、統計情報として、ＩＰカメラ毎ではなく、複数台のＩＰカメラを集計し注目地域の統計情報として提供しても良い。
スポンサー９０３は、統計情報のみを購入しても、広告枠を購入する前提で統計情報の提供を受けても良い。広告枠を購入するスポンサー９０３は、統計情報を利用して、ＩＰカメラ毎（＝場所毎）、時間毎、および属性情報毎に、広告内容を選択することができる。
【００７５】
実施例２の構成例では、ユーザ９０１とシステム運営者９０２間での、提供情報と提供サービスと関係を図１４〜図１６で示した３段階とした。しかし、もっと細分化しても、あるいは２段階や１段階のみと単純化しても良い。
また、この構成例では、ユーザ９０１が「広告表示あり」とした場合に、優遇を行なうとしたが、「広告表示なし」でも月額使用料などで料金の支払いを受ければ、同等の優遇を行なうとしたシステムとしても良い。
【００７６】
実施例２によれば、実施例１の効果に加え、システム運営者は、広告出稿者や広告代理店等のスポンサーから広告収入を得ることが可能となる。
【００７７】
なお、実施例１および実施例２の自己撮影システムは、既設の監視システムを使用して、一般のユーザが、外出中の行動記録および三人称視点での映像撮影を行い記録および閲覧するシステムであるとして説明したが、ユーザは、１つの監視システムだけではなく、複数の監視システムを利用できるようにしても良い。
【実施例３】
【００７８】
上述の実施例１および実施例２では、街中での広範囲の自己撮影システムの構成例を説明した。本実施例３では、観光地やテーマパーク向けにより遊戯性を高めた自己撮影システムの構成例を説明する。
本実施例においても、自己撮影システムに利用するシステムは、防犯用等に利用され、観光地の街中や公共施設内、若しくはテーマパークに設置される監視システムである。
なお、この実施例３では、テーマパークとして説明するが、テーマパークを観光地、アミューズメントパーク、若しくはアミューズメント施設と読み替えても良い。テーマパークで使用する場合には、広告バナー領域２４０３はテーマパーク内の施設やアトラクションの宣伝や道案内に用いても良い。またあるいは、全く広告を表示しない運用としても良い。
【００７９】
本実施例では、携帯型端末２のアプリケーションに、テーマパークの地図を表示するモードを追加する。地図の表示内容を、図７を用いて説明する。図７は、本発明の一実施例の係わるテーマパークの地図画面を示す図である。テーマパーク内の各スポット１０−２には、当該スポット１０−２を撮影するためのＩＰカメラが設置されている。ＩＰカメラおよび携帯型端末を含む実施例３のシステム構成は、図１〜図２と同じで、その運用方法も実施例１および実施例２で説明した通りである。
図７の地図８０は、テーマパーク全域の地図であり、テーマパーク内のどのあたりにＩＰカメラが設置されているかを、ＩＰカメラマーク８０１１で示している。ＩＰカメラマーク８０１１直下の時刻８０１２は、当該ＩＰカメラでの最新の撮影時刻を示し、当日の開園時間から当該ＩＰカメラでの撮影を行なっていなければ“−−点−−”を表示し、未撮影であることを示す。時刻８０１２の未撮影とする閾値は、任意であり、テーマパークや観光地の方針に合わせ、観光地やテーマパークの運営者若しくはシステム運営者が変更可能な値である（例えば、所定時間、撮影実績が無い場合や、当該監視位置に関わるイベントの開始前の時刻の場合、等には未撮影とする。）。また、ユーザが、各自の携帯型端末２を操作して、独自に設定や変更を行うようにしても良い。さらに、この時刻表示８０１２は、利用者がどのエリアを訪れたか、どのエリアに未訪問か、を示す履歴としての利用も可能である。また、時刻８０１２の未撮影とする閾値は、ＩＰカメラ毎に異なっていても良い。
携帯型端末２の画面サイズに地図８０が収まらない場合には、拡大縮小およびスクロール機能を用いて、地図８０全体を閲覧可能である。
【００８０】
また、携帯型端末２の「閲覧モード」（図４Ｂの画面２５参照）において、テーマパーク内に設置されたＩＰカメラの中で、どれだけ撮影されたかを示す情報を、サムネイル上に表記することもできる。
これを図８の画面２５−２を用いて図示する。図８は、本発明の一実施例の係わるテーマパーク向け運用での携帯型端末２が撮影した画面を示す図である。
画面２５−２は、図４Ｂで説明した画面２５に、撮影ＩＰカメラ割合２５２０の項目欄を追加したものである。撮影ＩＰカメラ割合２５２０の表記は、分母がテーマパーク内の全ＩＰカメラ数を示し、分子はテーマパーク内で何番目に撮影に使用されたＩＰカメラであるかの番号を示す。
【００８１】
さて、これまで本発明の自己撮影システムに使用される携帯型端末２は、利用するユーザの所有物としてきた。しかし、テーマパークにて専用携帯端末を貸し出すようにしても良い。ユーザは、貸し出しを受けた携帯型端末２を、テーマパークを退場する場合には、テーマパークの運営者に返却しなければならない。この場合には、ユーザは、自宅のパソコン１での閲覧ができない。このため、運営者は、テーマパーク内の施設１００にパソコン１−２を設置する。図１１によって、テーマパーク内の施設１００内に設置されたパソコン１−２の構成を示す。図１１は、本発明の一実施例の係わるテーマパーク向け運用での構成例を示す図である。
パソコン１−２は、テーマパーク内の施設１００に設置される。
パソコン１−２は、図２で示したパソコン１と同様に、ネットワーク回線６を介して、映像録画サーバ４およびユーザ管理サーバ５と接続する（図示しない）。
携帯型端末２は、テーマパーク内で自己撮影に用いた端末であり、パソコン１−２に接続して使用する。
ＩＰカメラ１２は、パソコン１−２に接続され、パソコン１−２を操作するユーザの顔を撮影する。
高品質なカラー印刷が可能なプリンタ１３は、パソコン１−２に接続される。
【００８２】
ユーザがパソコン１−２を用いて高解像度の画像データを閲覧する場合に実行される処理は、図６で示した処理７０７〜７１８の内容である。
ユーザはパソコン１−２を用いて、大量に撮影されたＨＤ映像１１の中から選択して、プリンタ１３で印刷する。
この選択のときに、ユーザはパソコン１−２を用いて、ＩＰカメラ１２で撮影したユーザの顔を検索キーとして使用し、ユーザの顔が写っている映像を大量に撮影されたＨＤ映像１１から検索するアプリケーションを用いても良い。また、ユーザは、ユーザが視線を向けているＩＰカメラ１２が撮影するユーザの顔の映像を基に、大量に撮影されたＨＤ映像１１から検索するアプリケーションを用いても良い。
また、テーマパークの運営者は、プリンタ１３で印刷したＨＤ映像１１の枚数によって利用料を徴収するようにしても良い。また、プリンタ１３に印刷しなくても、電子データで購入する枚数によって料金を徴収するようにしても良い。また使用時間に基づいて料金を徴収するようにしても良い。
【００８３】
次に、さらに利用者に撮影映像のコレクション活動を誘動するような遊戯性を高めた構成例を説明する。図９は、本発明の一実施例の係わるテーマパーク向け運用でのＣＧ合成用マーカプリント衣類を説明するための図である。
まず、テーマパーク内での自己撮影機能を利用するユーザには、図９（ａ）または図９（ｂ）に例示する画像認識用マーカが印刷された衣類を着用させ、携帯型端末２でのサムネイル映像、パソコン１で閲覧する映像、およびプリンタ１３で印刷する時のＨＤ映像に、映っているそれらの画像認識マーカ８１１または８１１上に、３ＤＣＧ（三次元コンピュータグラフィックス）キャラクタを重畳し、表示する。
重畳表示する３ＤＣＧキャラクタは、テーマパーク内のＩＰカメラ３毎に、異なるキャラクタとしても良い。また、重畳する３ＤＣＧキャラクタは、時間帯毎に異なるキャラクタまたは時間帯毎変化するキャラクタとしても良い。
例えば、「ＩＰカメラ毎に異なる花とし、朝方は蕾で、昼過ぎ以降は咲いた花」や、「ＩＰカメラ毎に異なるマスコットキャラクタとし、時間帯によって食事や昼寝など異なる様子」という運用にしても良い。
また、特定のＩＰカメラ３で特定時間に撮影した映像にのみ重畳するレアキャラクターを用意しても良い。
また、地図８０にて、ＩＰカメラ位置８０１１と撮影時刻８０１２のセットを、未撮影時には非表示とし、ＩＰカメラに撮影された後に表示する運用とし、テーマパークを散策するユーザにＩＰカメラ３を探してもらう遊戯としても良い。
【００８４】
図９（ａ）および図８（ｂ）は、それぞれ、画像認識用マーカを印刷した衣類を例示し、画像処理用マーカ８１１を印刷したＴシャツ８１と、画像処理用マーカ８２１を印刷したゼッケン８２を示す。なお、図９の実施例によらず、画像処理用マーカが印刷されていて身にまとえるものであれば、Ｔシャツやゼッケン以外でも、例えば、トレーナー、ポンチョ、エプロン、等、特に限定しない。
また図９の実施例では、画像処理用マーカの形状を、黒四角に非対称となる模様を加えた形としている。しかし、３ＤＣＧを重畳するための情報、位置と向きが特定できる形状であれば、画像処理用マーカの形状を特に限定しない。
図１０の画面２５−３は、携帯型端末２の表示部２１０に表示される画面の一実施例である。自己撮影システム用の携帯型端末アプリケーションの手動録画モードの「閲覧モード」の、サムネイル２５１０−３内の画像処理用マーカ部に、３ＤＣＧ２５３０を重畳表示したものである。
【００８５】
次に、３ＤＣＧキャラクターの重畳を、図１０によって説明する。
ＩＰカメラ３は、撮影時に、画像内に画像処理用マーカが存在するか探索を行う。
例えば、図１を用いて説明したＩＰカメラ３の処理に加え、図１の画像処理演算部３０３にて、画像処理用マーカが存在するか否かの探索を行う。探索した結果、画像処理用マーカを発見した場合には、マーカの識別用情報と画像内での位置と向きを示す情報を、「サムネイル映像」と「ＨＤ映像」のフレーム構成のヘッダ部に記載する。以後、「サムネイル映像」のヘッダ部に記載したマーカに関する情報を「サムネイルヘッダ内マーカ情報」と呼称する。同様に「ＨＤ映像」内のヘッダ情報を「ＨＤ映像ヘッダ内マーカ情報」と呼称する。
ＩＰカメラ３は、「サムネイル映像」を、無線ネットワーク接続部３０９と無線ネットワーク用アンテナ３１０を介して、携帯型端末２に伝達する。この際に、「サムネイル映像」と共に、ヘッダ部に記載された「サムネイルヘッダ内マーカ情報」も携帯端末２に伝達される。
携帯端末２の動作プログラムは、図３Ａで説明した携帯端末２の動作プログラム２２１に、サムネイル映像重畳用の３ＤＣＧデータと３ＤＣＧ表示ルーチンを追加する。動作プログラムの処理動作は、受信した「サムネイル映像」に、「サムネイルヘッダ内マーカ情報」が含まれている場合には、マーカの識別情報と映像時刻とＩＰカメラの種別情報をもとに、条件に合致する３ＤＣＧを探索し、探索した３ＤＣＧをマーカの画像内での位置と向きの情報をもとにサムネイル映像に重畳する。
【００８６】
図７の通信処理７００では、携帯端末２が画像処理用マーカを発見した場合には、「サムネイル映像」には「サムネイルヘッダ内マーカ情報」を付随させて映像録画サーバ４に記録し、「ＨＤ映像」には「ＨＤ映像ヘッダ内マーカ情報」を付随させて映像録画サーバ４に記録する。
図７の通信処理７１７の、「ＨＤ映像」には「ＨＤ映像ヘッダ内マーカ情報」が格納されている。
図７のパソコン１の処理７１８では、画面に「ＨＤ映像」を表示するときに、「ＨＤ映像ヘッダ内マーカ情報」が含まれている場合には、マーカの識別情報と映像時刻とＩＰカメラの種別情報をもとに条件に合致する３ＤＣＧを探索し、探索した３ＤＣＧをマーカの画像内での位置と向きの情報をもとに、ＨＤ映像に重畳する。
【００８７】
実施例３によれば、観光地やテーマパーク等のアミューズメントパークやアミューズメント施設で、行動記録の作成、特に三人称視点での映像撮影が可能なとなる。
また、実施例３によれば、いつ何処にいたかという情報を、防犯用等の監視システム内に保持させることが可能となる。
またさらに、実施例３によれば、システム運営者は、広告サービスやアミューズメントパークやアミューズメント施設内の案内を容易に提供することができる。
【００８８】
なお、上述の実施例２の自己撮影システムもまた、実施例１や実施例２と同様に、既設の監視システムを使用して、一般のユーザが、外出中の行動記録および三人称視点での映像撮影を行い記録および閲覧するシステムであるとして説明した。しかし、ユーザは、１つの監視システムだけではなく、複数の監視システムを利用できるようにしても良いことは勿論である。
【符号の説明】
【００８９】
１、１−２：パソコン、  ２：携帯型端末、  ３、３−１〜３−ｎ：ＩＰカメラ、  ４：映像録画サーバ、  ５：ユーザ管理サーバ、  ６：ネットワーク回線、  １０：街中、  １０−２：スポット、  １１：ＨＤ映像、  １２：ＩＰカメラ、  １３：プリンタ、  ２１：サムネイル映像、  ２２：不揮発性メモリ、  ２３、２３−２、２４、２４−２、２５、２５−２、２５−３、２６、２７、２８、２９：画面、  ６１：ブロードバンドネットワーク回線、  ６２：無線ネットワーク回線、  ６３：有線ネットワーク回線、  ６４：データセンタ屋内ネットワーク回線、  ６５：データセンタ屋内ネットワーク回線、  ８０：地図、  ８１：Ｔシャツ８１、  ８２：ゼッケン８２、  ９１：サービス、  ９２：情報・サービス料、  ９３：情報料・広告料、  ９４：統計情報・広告枠、  １００：施設、  ２１０：表示部、  ２２１：動作プログラム、  ２２２：秘密鍵、  ２２３：公開鍵、  ２２４：設定情報、  ２２５：サムネイル映像保存領域、  ２２６：ユーザ情報、  ２４０：表示モード欄、  ２４１、２４２：クリップ、  ２４３：空白、  ２５０：表示モード欄、  ２５１〜２５４：クリップ、  ２６０：表示モード欄、  ２６１〜２６４：クリップ、  ２６５：削除確認画面、  ２７０：表示モード、  ２７１〜２７４：クリップ、  ２８０：表示モード欄、  ２８１：選択クリップ、  ２８２：非選択クリップ群、  ２９０：表示モード欄、  ２９１〜２９４：クリップ、  ２９５：削除確認画面、  ３０１：レンズ、  ３０２：撮像部、  ３０３：画像処理演算部、  ３０４：バス、  ３０５：制御部、  ３０６：ワークメモリ、  ３０７：不揮発メモリ、  ３０８：有線ネットワーク接続部、  ３０９：無線ネットワーク接続部、  ３１０：無線ネットワーク用アンテナ、  ３７０：設定情報、  ３７１：動作プログラム、  ３７２：秘密鍵、  ３７３：公開鍵、  ４０１：記憶デバイス、  ２２４０：撮影許可フラグ、  ２２４１：撮影モード、  ２２４２：撮影時間間隔、  ２２４３：削除確認モード、  ２２４４：広告表示モード、  ２２４５：統計用情報。
【図１Ａ】
2013009256.tif 000003
【図１Ｂ】
2013009256.tif 000004
【図１Ｃ】
2013009256.tif 000005
【図１Ｄ】
2013009256.tif 000006
【図２Ａ】
2013009256.tif 000007
【図２Ｂ】
2013009256.tif 000008
【図２Ｃ】
2013009256.tif 000009
【図２Ｄ】
2013009256.tif 000010
【図３Ａ】
2013009256.tif 000011
【図３Ｂ】
2013009256.tif 000012
【図３Ｃ】
2013009256.tif 000013
【図３Ｄ】
2013009256.tif 000014
【図４Ａ】
2013009256.tif 000015
【図４Ｂ】
2013009256.tif 000016
【図４Ｃ】
2013009256.tif 000017
【図４Ｄ】
2013009256.tif 000018
【図５Ａ】
2013009256.tif 000019
【図５Ｂ】
2013009256.tif 000020
【図５Ｃ】
2013009256.tif 000021
【図５Ｄ】
2013009256.tif 000022
【図６】
2013009256.tif 000023
【図７】
2013009256.tif 000024
【図８】
2013009256.tif 000025
【図９】
2013009256.tif 000026
【図１０】
2013009256.tif 000027
【図１１】
2013009256.tif 000028
【図１２】
2013009256.tif 000029
【図１３】
2013009256.tif 000030
【図１４】
2013009256.tif 000031
【図１５】
2013009256.tif 000032
【図１６】
2013009256.tif 000033